(57)【要約】【課題】  長期の使用に亘ってバットにおけるディスプレイ性を保持可能な球技用バット、及び、その球技用バットの形成方法を提供する点にある。【解決手段】  打撃部Ａ４にバット本体１の表面が凹設された凹部１Ａが形成され、この凹部１Ａの底面に文字・装飾ディスプレイ２が施されているとともに、この凹部１Ａに透明性を備えたゴム系又は合成樹脂系素材からなる弾性層３が設けられている。【選択図】        図１
2007029559.tif 000002
【特許請求の範囲】
【請求項１】
打撃部にバット本体の表面が凹設された凹部が形成され、この凹部の底面に文字・装飾ディスプレイが施されているとともに、この凹部に透明性を備えたゴム系又は合成樹脂系素材からなる弾性層が設けられている球技用バット。
【請求項２】
前記弾性層の厚さ寸法が、２ｍｍ〜８ｍｍである請求項１記載の球技用バット。
【請求項３】
前記弾性層のゴム硬度(Shore  Ａ)が、４０度〜９０度に設定されている請求項１又は２記載の球技用バット。
【請求項４】
前記弾性層は、温度が２０℃、周波数が１００Ｈｚにおける貯蔵弾性率が９〜１９Ｍｐａである請求項１〜３のいずれか１項に記載の球技用バット。
【請求項５】
前記凹部の端部が、底部に向って次第に深くなる湾曲形状に形成され、且つ、少なくとも、この凹部の端部に下地剤を介して弾性層が接合されている請求項１〜４のいずれか１項に記載の球技用バット。
【請求項６】
バット本体における打撃部表面が全周に亘って凹設された凹部の底面に対して、文字・装飾ディスプレイを施すディスプレイ形成工程と、
文字・装飾ディスプレイが施された打撃部の凹部に下地剤を塗設する下地層形成工程と、
バット中心軸がほぼ垂直となる縦姿勢のバット本体の打撃部に、内周面が打撃部の表面形状に形成された分割金型を包囲状態に設置して金型を形成し、打撃部と金型との間に充填空間を形成する金型設置工程と、
充填空間に対して、空間上端部と連通する注入路を介して、流動状態の透明性を有した弾性材料を流し込みによって、空間下部から上部まで隙間なく充填する弾性層充填工程と、
充填によって弾性材料に混じった気泡を注入路から自然流出させる奪気工程と、
充填された弾性材料の硬化を待って金型からバット本体を離脱して、打撃部に弾性層が一体形成された球技用バットを完成させる金型離脱工程を備える球技用バットの形成方法。
【発明の詳細な説明】
【技術分野】
【０００１】
本発明は、球技用バットに関し、詳しくは、打撃部にバット本体の表面が凹設された凹部が形成され、この凹部にゴム系又は合成樹脂系素材からなる弾性層が設けられている球技用バット及びその形成方法に関する。
【背景技術】
【０００２】
球技用バットは、硬式野球、軟式野球、ソフトボール等の球技の種別によって、打撃対象である球技ボールの大きさや硬さ等がルール上で異なっているので、夫々に専用のバットが存在している。
そして、これらの球技用バットは、元来が木製で製作されるのが主流であったが、近年においては、木製バットの他に、耐久性があり飛距離も出るアルミニューム等を主体とする金属バットや、この金属バットよりしなりがあるＦＲＰ等のカーボンバット等が製作されるようになっており、また、打撃部にバット本体の表面が凹設された凹部が形成され、この凹部に弾性層が設けられた球技用バットも製作されるようになっている。
このような球技用バットにおいて、商標、図柄、装飾等の文字・装飾ディスプレイは、主に、バット本体の打撃部の外表面に集中して印刷され、打撃部の凹部に軟質な弾性層を設けるものでは、その弾性層の外表面に保護層として設ける厚さ０．１ｍｍ〜１ｍｍの合成樹脂の透明シート内面にディスプレイを印刷したものがある（特許文献１参照）。
【０００３】
【特許文献１】特開２００３−１９２３６号公報（第９−１０頁、図４）
【発明の開示】
【発明が解決しようとする課題】
【０００４】
しかし、上述前者に記載の木製バット、金属バット、カーボンバットにおけるディスプレイ構造では、打撃により傷がつき易く、そのことによりくすみ等が生じやすい傾向があることや、合成樹脂の透明シート自体が破れることもあり、加えて、使用回数が多くなる程、文字・装飾ディスプレイの視認性が低下するといったバットにおける外観劣化をもたらす問題がある。
また、上述後者に記載の球技用バットにおけるディスプレイ構造では、軟質な弾性層と薄肉厚の保護層との境界に位置してディスプレイが存在しているので、薄肉厚の保護層から大きな衝撃力が加わることと、打撃時の衝撃によって弾性層が大きく弾性変形することによって、ディスプレイに変形による損傷を生じやすい問題がある。
【０００５】
本発明は上記の事情に鑑みてなされたものであり、その目的とするところは、長期の使用に亘ってバットにおけるディスプレイ性を保持可能な球技用バット、及び、その球技用バットの形成方法を提供する点にある。
【課題を解決するための手段】
【０００６】
本発明の第１番目の球技用バットの特徴構成は、打撃部にバット本体の表面が凹設された凹部が形成され、この凹部の底面に文字・装飾ディスプレイが施されているとともに、この凹部に透明性を備えたゴム系又は合成樹脂系素材からなる弾性層が設けられている点にある。
【０００７】
上記特徴構成によれば、文字・装飾ディスプレイが硬いバット本体における凹部の底面に施されているので、剥がれ難いディスプレイ構造を形成するとともに、打球時の衝撃が直接に文字・装飾ディスプレイにおよぶことがない肉厚のある弾性層を介して、文字・装飾ディスプレイが凹部の底面に施されているので、文字・装飾ディスプレイが剥げ落ちたりするような表示の劣化を生じることがない。
【０００８】
従って、従来のようにバット打撃部の外表面に文字・装飾ディスプレイが印刷された木製バット、金属バット、カーボンバット、及び、バット打撃部に形成された凹部に設けられ弾性層の外表面に対して、透明で肉厚の薄く内面にディスプレイを印刷した透明で薄肉厚の保護層が被覆された球技用バットに比して、長期の使用に亘って文字・装飾ディスプレイの視認性を確保することができるので、バットにおけるディスプレイ性の向上を図ることができる。
【０００９】
本発明の第２番目の球技用バットの特徴構成は、前記弾性層の厚さ寸法が、２ｍｍ〜８ｍｍである点にある。
【００１０】
上記特徴構成によれば、打球時の衝撃が直接に文字・装飾ディスプレイにおよぶことがない肉厚のある弾性層を形成することができ、底面に施されている文字・装飾ディスプレイが剥げ落ちたりするような表示の劣化を生じることがない保護に十分な肉厚を形成することに加えて、文字・装飾ディスプレイが肉厚のある弾性層を透過して視認することができるといった、レンズ的効果を生じさせることができる。
【００１１】
従って、長期の使用に亘って文字・装飾ディスプレイの視認性を保持することに加えて、レンズ的効果を備えていることによりバット美観上の向上を図ることができる。
【００１２】
本発明の第３番目の球技用バットの特徴構成は、前記弾性層のゴム硬度(Shore  Ａ)が、４０度〜９０度に設定されている点にある。
【００１３】
上記特徴構成によれば、上記の設定の範囲において、打撃部の弾性層に打球が当り始めた時点から弾性層から反発によって離脱する時点までの間において、ボール側が当りによる衝突による変形状態から復元状態となって弾性層から離脱するボール状態に対して、弾性層側が衝突によるボールの変形を粘弾性で受止めた後、ボールの復元状態と弾性層も弾性復元とが略同期することによって、ボールに対する高反発性と高い飛距離性の実現化が可能となる。
ここで、ゴム硬度が４０度以下である場合、弾性層が軟質になり過ぎて使用過程で凹部から弾性層が外れやすくなり、反対にゴム硬度が９０度以上である場合、弾性層が硬過ぎて、打撃時の粘弾性の弾性復元力が極端に早くなることと、ボール側が弾性復元しきれない状態で弾性層から離脱することによって、飛距離が押えられしまう傾向となる。
しかも、弾性層のゴム硬度が、４０度〜９０度に設定されていることによって、弾性層の表面に、土、泥、塵埃等が付着したり傷が付いたりし難く、また、高い透明性を維持することができることが実験によって分かっており、弾性層の透明性を十分に生かした設定になっている。これは、透明性を有する弾性層のゴム硬度が４０度以下である場合、土、泥、塵埃等が付着したりしやすく取り去り難く、弾性層のゴム硬度が９０度以上である場合、例えば、ウレタン樹脂から弾性層が形成されている場合のように、透明性が低下して白く濁るというように、透明品質の低下を示す傾向がある。
【００１４】
従って、打撃部に弾性層の無い一般的な球技用バットに比べて、例えば、土、泥、塵埃等が付着したりし易い試合中においても、文字・装飾ディスプレイの高い視認性を有し、しかも、飛距離等の点で優れたバット性能を発揮することができる。
【００１５】
本発明の第４番目の球技用バットの特徴構成において、前記弾性層は、温度が２０℃、周波数が１００Ｈｚにおける貯蔵弾性率が９〜１９Ｍｐａである点にある。
【００１６】
上記特徴構成によれば、特に、打撃部で打球されたボールが、バット軸芯線を僅かに上部に外れて打撃したような場合、適度な摩擦力に加えて大きな貯蔵弾性率が作用することによって、ボールが反発に転じた状態では、飛距離性のよい角度で高い反発力をもって飛球する状態を形成しやすくすることができる。
【００１７】
従って、打撃部で打球されたボールを、バット軸芯線を僅かに外れて打撃したような場合であっても、打球されたボールを、飛距離性のよい角度で高い反発力をもって打撃することができ、打撃性能の向上を図ることができる。
ここで、従来において、弾性層が、温度が２０℃、周波数が１００Ｈｚにおける貯蔵弾性率が１．４Ｍｐａ以下であることによって、打撃性能の向上を図ったものが存在(特開２００４−２４２７３８)するが、その貯蔵弾性率がこの発明の貯蔵弾性率である９〜１９Ｍｐａより低い領域に属していることからして、ゴム硬度等の条件の異なりによって、高い領域にも顕著性が存在する知見を得ている。
【００１８】
本発明の第５番目の球技用バットの特徴構成によれば、前記凹部の端部が、底部に向って次第に深くなる湾曲形状に形成され、且つ、少なくとも、この凹部の端部に下地剤を介して弾性層が接合されている点にある。
【００１９】
上記特徴構成によれば、例えば、凹部の端部が直角な内隅形状であり、このような凹部の端部に打球が対応した場合、直角な内隅形状を介してバット本体に応力集中が加わり、バット本体が変形したり折れたりする問題があるのに比し、凹部の端部が湾曲形状で、且つ、凹部の端部と弾性層が下地剤を介して一体接合されているので、凹部の端部に打球が対応した場合、凹部から弾性層がずれたりして弾性層に損傷を与えるようなことなく、湾曲する端部に一体接合する弾性層を介してバット本体に応力が分散され、バット本体が変形したり折れたりするようなことを阻止することができる。
【００２０】
従って、弾性層の高反発性を維持しながら、打球による集中応力に対してもバット本体の保全を図ることができるので、信頼性の高い球技用バットを形成することができる。
【００２１】
本発明の第６番目の球技用バットの形成方法の特徴構成によれば、バット本体における打撃部表面が全周に亘って凹設された凹部の底面に対して、文字・装飾ディスプレイを施すディスプレイ形成工程と、
文字・装飾ディスプレイが施された打撃部の凹部に下地剤を塗設する下地層形成工程と、
バット中心軸がほぼ垂直となる縦姿勢のバット本体の打撃部に、内周面が打撃部の表面形状に形成された分割金型を包囲状態に設置して金型を形成し、打撃部と金型との間に充填空間を形成する金型設置工程と、
充填空間に対して、空間上端部と連通する注入路を介して、流動状態の透明性を有した弾性材料を流し込みによって、空間下部から上部まで隙間なく充填する弾性層充填工程と、
充填によって弾性材料に混じった気泡を注入路から自然流出させる奪気工程と、
充填された弾性材料の硬化を待って金型からバット本体を離脱して、打撃部に弾性層が一体形成された球技用バットを完成させる点にある。
【００２２】
上記特徴構成によれば、バット本体の打撃部の凹部に、全体が筒状となった弾性層が隙間のない一体化された接合状態となり、且つ、気泡などを排除して全体的に均一な透明性を有する弾性層を形成することができる。
【００２３】
従って、凹部と弾性層とを隙間無く一体接合することができ、バット使用において砂塵や雨水等がバット表面に付着するような使用環境にあっても、凹部と弾性層との接合境界にそのような砂塵や雨水等が侵入することは無く、弾性層を通して凹部に表示された文字・装飾ディスプレイを悪環境下においても視認することができると言った表示性能の向上を図ることができる。
【発明を実施するための最良の形態】
【００２４】
以下、本発明を適用した球技用バットを図面に基づいて説明する。
【００２５】
〔実施形態〕
この実施形態は、軟式野球用の球技用バットＡに本発明を適用した例を図面に基づいて説明する。
この球技用バットＡは、図１（イ）、（ロ）、（ハ）に示すように、基端のグリップエンドＡ１から先端に沿ってグリップＡ２、テーパー部Ａ３、打撃部Ａ４が連続形成されている。
このような球技用バットＡの母体となる骨格部分を構成するバット本体１は、ＦＲＰ（繊維強化プラスチック）から形成されている。
【００２６】
そして、球技用バットＡは、打撃部Ａ４の略全長に亘ってバット本体１の表面が凹設された凹部１Ａが形成され、この凹部１Ａの底面１Ｂに文字・装飾ディスプレイ２が施されているとともに、この凹部１Ａに透明性と高い打球反発性を備えたゴム系又は合成樹脂系素材からなる弾性層３が設けられている。
【００２７】
前記凹部１Ａは、打撃部Ａ４の全周に亘って形成され、この凹部１Ａにおけるバット先端側とバット基端側の端部１Ｃは、底部１に向って次第に深くなる湾曲形状に形成され、その他の部分の深さは均一に構成されている。
【００２８】
凹部１Ａの底面１Ｂには、文字・装飾ディスプレイ２が施された上面に、弾性層３を構成する素材と同系統の透明性を有するポリウレタン系下地剤からなる下地剤４で塗設がなされ、この下地剤４を介して弾性層３が凹部１Ａに一体接合されている。
【００２９】
また、凹部１Ａの端部１Ｃに対応する弾性層３は、下地剤４によって一体接合されているので、端部１Ｃに対応する弾性層３でボールを打撃した場合においても、弾性層３が凹部１Ａに対してずれ動くことなく打撃を支持することができる。そのため、端部１Ｃに対応する弾性層３で打撃した時のボールの衝撃力は、端部１Ｃの湾曲部分で受止められることになるので、打撃による応力がうまく分散されてバット本体１に集中応力が加わることがない接合構造になっている。
【００３０】
前記バット本体１は、例えば、ＦＲＰ素材からなる肉厚が約４ｍｍの中空な殻体から形成され、全長が約８４０ｍｍで、先端から手持ち側に１５０ｍｍ〜１８０ｍｍ戻った位置が打撃部Ａ４の中心、所謂、スイートポイントに設定されている。
【００３１】
前記弾性層３は、ゴム硬度(Shore  Ａ)が４０度〜９０度で好ましくは５５度〜７０度の透明性を有する人口ゴム系素材であるポリウレタン樹脂から構成されている。ポリウレタン樹脂は、反応性に富んでいるので、熱硬化性樹脂としても熱可塑性樹脂にも使用され、この実施形態では、キャスチング・ポリウレタンを用いている。
【００３２】
使用されるポリウレタン樹脂は、比重が１．０３程度、ゴム硬度が７０度〜７２度の範囲に入るものを用い、打撃部Ａ４が形成された凹部１Ａの空間に充填される量は、バット総重を越えない重量に設定されている。
【００３３】
この実施形態における打撃部Ａ４の凹部１Ａの凹部深さは、約４ｍｍに形成され、これに設けられる弾性層３の厚さ寸法は、同じく約４ｍｍに形成されている。
この実施形態において、弾性層３に高い打球反発性を形成する最少厚さ寸法が約２〜３ｍｍの厚さから高い打球反発性が形成されることがわかっており、凹部１Ａとの差分である約２〜１ｍｍは、バット重量の不足分を付加してバット重量の適正化が図られている。
【００３４】
従って、実施形態の球技用バットＡにおいては、バット重量が適正な球技用バットＡを形成することができながら、打撃部Ａ４の全域で高い反発性を備えた弾性層構造を形成することができる。
【００３５】
また、弾性層３の厚さ寸法が付加されていることによって、より高い打球反発性が形成されるが、弾性層３の厚みをさらに厚くすることで、反発係数を上げて打球飛距離の向上を図ることが可能であるが、それも上限がありこの上限以上に厚くしても反発性に変化がないこともわかっている。そのため、その打球反発性のある範囲で肉厚の異なるバットを形成することによって、使用者に対応する最適な重量のバットを形成することができる。
【００３６】
前記文字・装飾ディスプレイ２は、凹部１Ａの底面１Ｂに商品名や模様等を、例えば、シルクスクリーン印刷、パット印刷、刻印、又は、表面に商品名や模様等を予めに印刷され、裏面に粘着層を設けた貼着シートを貼着したり、水転写シールや熱転シールによって転写したりする等して施されている。
【００３７】
そして、この凹部１Ａには、底面１Ｂに塗設したポリウレタン樹脂系の下地剤４を挟んで弾性層３が一体接合されている。
【００３８】
次に、球技用バットＡの形成方法について説明する。
始めに、バット本体１自体は、元来のバット素材である木質素材から形成されているもの、アルミニュームを主体とする金属素材から形成されているもの、ＦＲＰから形成されているものが存在する。前記木質素材からなるバット本体の場合は切削によって、打撃部に凹部を形成し、前記金属素材からなるバット本体の場合、絞込み加工によって、打撃部に凹部を形成することができる。
【００３９】
前記ＦＲＰからなるバット本体１は、例えば、以下のように形成される。
【００４０】
始めに、バット本体１長さのテーパー棒状の芯型であるマンドレルに、熱硬化性樹脂（エポキシ）を含浸したカーボン繊維とガラス繊維からなるシート状のプリプレグを、全体に均一な層厚さに巻装して、グリップＡ２からテーパー部Ａ３を経て打撃部Ａ４に至るバット部分に対応する第１仕掛り形成体を形成する。また、同じく図示しないが、バット先端形状に対応する筒状に形成された第２仕掛り形成体と、グリップの形態に対応するリング状に形成された第３仕掛り形成体を用意する。
【００４１】
次いで、打撃部Ａ４の全周に亘る凹部１Ａに対応する内周面が形成された２分割の合わせ金型内に、前記第１〜第３仕掛り形成体を対応する位置に収納するとともに、第１仕掛り形成体の端部に形成された孔から内部に、軟質塩ビなどから形成された長尺なチューブを収納する。
【００４２】
次いで、この状態で加熱成型を行う。この成型時にチューブに空気が圧入され、第１〜第３仕掛り形成体を一体接合するとともに、打撃部Ａ４に凹部１Ａが形成された図２（イ）に示すような金型に沿った粗バット本体１‘を形成する。
【００４３】
次いで、合わせ金型Ｃから粗バット本体１‘を取り出して、バリ取りなどを経て、粗バット本体１’から萎ませたチューブを取り去り、グリップエンドにある孔にエポキシ樹脂を充填して塞いだ後、ピンホールを塞ぐ目的等にパテによる表面研磨を行う。
【００４４】
次いで、粗バット本体１‘の表面にプライマー処理した後、ポリウレタン系塗料で下地塗装を行って図２（ロ）に示すようなバット本体１が形成される。
【００４５】
次に、このように形成されたバット本体１に、文字・装飾ディスプレイ２が透視可能な弾性層３を形成する形成方法を説明する。
【００４６】
バット本体１における打撃部Ａ４表面が全周に亘って凹設された凹部１Ａに対して、商品名や模様等を表示する文字・装飾ディスプレイ２を、図２（ハ）に示すように、シルクスクリーン印刷、パット印刷、水転写シール、熱転写シール、刻印等によって施す。（ディスプレイ形成工程）
【００４７】
次いで、打撃部Ａ４の凹部１Ａをさらにポリウレタン塗装からなる下地剤４を塗設して、文字・装飾ディスプレイ２をコーティングする。（下地層形成工程）
【００４８】
次いで、図３に示すように、バット中心軸が垂直となる縦姿勢のバット本体１の打撃部Ａ４から先端部に亘って、内周面が打撃部Ａ４の外面形状に形成された分割金型ＣＡを包囲状態に設置して金型Ｃを形成し、打撃部Ａ４と金型Ｃとの間に充填空間Ｓを形成する。（金型設置工程）
ここで、金型Ｃ内面には離型剤６が塗設されている。
【００４９】
次に、図４（イ）に示すように、充填空間Ｓに対して、ゲートＧを開いた状態で空間上部Ｓ１と連通する注入路Ｓ２を通して、流動状態の透明性を有したポリウレタン樹脂素材からなる弾性材料３‘を、注入具７を介して注入して、空間下部Ｓ３から空間上部Ｓ１まで隙間なく充填する。（弾性層充填工程）
【００５０】
ここで、この実施形態における金型Ｃには、各分割金型ＣＡに対応してゲートＧが設けられている。
【００５１】
次に、充填によって弾性材料３‘に混じった気泡を注入路Ｓ２、連通路Ｓ２ａを経由して、充填空間Ｓから外部に自然流出させる。（奪気工程）
【００５２】
次に、図４（ロ）に示すように、ゲートＧを閉じた状態で、金型Ｃをヒータ等の加熱手段５を介して予備加熱成型した後、金型Ｃから脱型後、加熱炉等の加熱雰囲気内で弾性材料３‘を硬化させて打撃部に弾性層が一体形成された球技用バットＡが形成される。（金型離脱工程）
【００５３】
次に、離型剤をふき取り、バットの種類に応じて、球技用バットＡの握り部Ａ２にグリップテープが巻装される。
【００５４】
このような構成の球技用バットＡによれば、打撃部Ａ４に弾性層３が存在することによって、文字・装飾ディスプレイ２を視認可能でありながら、弾性層自体が打球に対する高反発性を備えて打球に対応することができる。しかも、打球時の衝撃が直接に文字・装飾ディスプレイ２におよぶことがない肉厚のある弾性層３を形成することができ、底面１Ｂに施されている文字・装飾ディスプレイ２が剥げ落ちたりするような表示の劣化を生じることがない。
【００５５】
また、気泡のない肉厚のある弾性層３を形成して、弾性層の全体が均一した透明性を形成することができるとともに、保護に十分な肉厚を形成することに加えて、文字・装飾ディスプレイが肉厚のある弾性層を透過して視認することができるといった、レンズ的効果を生じさせることができる。
【００５６】
〔実験例〕
ＦＲＰ性のバット本体１の打撃部Ａ４に弾性層３が形成された球技用バットＡと、金属バット（軟式野球用）との対比実験。
【００５７】
<対比条件>
全長が８４０ｍｍで、ボールの打撃位置が、バット本体の先端から１５０ｍｍ手前で打撃部Ａ４の中心位置に設定された球技用バットＡを用いる。
弾性層３は、比重が１．０３程度、ゴム硬度が７０〜７２度の範囲に入るものを用いた。
弾性層３の動的貯蔵弾性率が、測定温度が２０度で周波数が１００Ｈｚの周波数分散測定において１１〜１６．５Ｍｐａで、測定温度が２５度で周波数が１０Ｈｚの周波数分散測定において１０〜１５Ｍｐａの範囲に入るものを用いた。ここで、従来において、弾性層が、温度が２０℃、周波数が１００Ｈｚにおける貯蔵弾性率が１．４Ｍｐａ以下であることによって、打撃性能の向上を図ったものが存在(特開２００４−２４２７３８)するが、その貯蔵弾性率がこの実施形態の貯蔵弾性率である９〜１９Ｍｐａより低い領域に属していること、また、従来において、弾性層が、温度が２５℃、周波数が１０Ｈｚにおける貯蔵弾性率が０．０１Ｍｐａ〜６Ｍｐａであることによって、打撃性能の向上を図ったものが存在(特開２００４−２４２７３８)するが、その貯蔵弾性率がこの実施形態の貯蔵弾性率である９〜１６Ｍｐａより低い領域に属していることからして、ゴム硬度等の条件の異なりによって、実験条件は同じでも高い領域にも別の顕著性が存在する知見を得ている。
【００５８】
弾性層３の動的損失弾性率が、測定温度が２０度で周波数が１００Ｈｚの周波数分散測定において０．５〜１Ｍｐａ程度で、測定温度が２５度で周波数が１０Ｈｚの周波数分散測定において０．４〜０．７Ｍｐａ程度の範囲に入るものを用いた。
【００５９】
この条件において、バットのバッティング速度（バット速度）と、ボール速度（軟式ボールを使用）を変えて打撃直後のボールの反発速度を繰り返し計測した中の一例を示す。
【００６０】
<第１の実験結果>
金属バットでは、バッティング速度が１１１．８２Ｋｍ/ｈ、ボール速度が１０４，２９Ｋｍ/ｈ、ボールの反発速度が１１２．２８Ｋｍ/ｈであったのに対して、
打撃部に弾性層を形成するバットでは、バッティング速度が１０９．５３Ｋｍ/ｈ、ボール速度が１０４．５９Ｋｍ/ｈ、ボールの反発速度が１１８．１０Ｋｍ/ｈであり、金属バットに比べてボールの反発速度に５．１８％の上昇が確認された。
【００６１】
<第２の実験結果>
金属バットでは、バッティング速度が１０３．３９Ｋｍ/ｈ、ボール速度が９５．７１Ｋｍ/ｈ、ボールの反発速度が９９．０Ｋｍ/ｈであったのに対して、
打撃部に弾性層を形成するバット：バッティング速度が９８．６５Ｋｍ/ｈ、ボール速度が９５．９１Ｋｍ/ｈ、ボールの反発速度が１０７．１７Ｋｍ/ｈとなり、金属バットに比べてボールの反発速度に８．２４％の上昇が確認された。
【００６２】
<考察>
近似範囲の対比実験でありながら、ボールの反発速度の点で顕著な違いが見られ、ボールの飛距離の向上が裏付けられた。
【００６３】
バットとボールの速度が遅い方が早い方に比べて、ボールの反発速度の上昇度合いが大きい理由として、先に説明したように、早い方が打撃時におけるボール自体の打撃変形量が大きく、ボールを受止める側の弾性層の粘弾性の弾性復元と変形したボールの弾性復元とが同期化が得られやすい傾向があり高い反発力がボールに作用するものと推察される。
【００６４】
また、軟式野球用バットにおいては、ゴム硬度が高硬度領域よりも低硬度領域の方がボールの反発速度が良好な結果が得られ、ゴム硬度が７０以上では良好な結果がえられなかったが、打撃部に弾性層を備えるソフトボール用バットとソフトボールとの同様な実験では、高硬度領域のゴム硬度が９０度まで良好な結果が得られた。
【００６５】
以上の対比実験をゴム硬度が４０度〜９０度の間の各数値に対応して実験したが、夫々同様な結果傾向を示し、前記の硬度の範囲内では相関性が認められたが、ゴム硬度が４０度以下や９０度以上ではボール反発速度に良好な結果が得られなかった。
【００６６】
弾性層のゴム硬度が、４０度〜９０度の範囲に設定されていることによって、弾性層の表面に、土、泥、塵埃等が付着したり傷が付いたりし難いことが実験によって分かっており、弾性層の透明性を十分に生かした硬度設定になっている。これは、透明性を有する弾性層のゴム硬度が４０度以下である場合、土、泥、塵埃等が付着したりしやすく取り去り難く、弾性層のゴム硬度が９０度以上である場合、透明に成型するのが難しく、白く濁った弾性層を形成する傾向を示した。
【００６７】
〔別実施形態〕
１）  上記各実施形態における打撃部Ａ４の凹部１Ａの深さは、両端を除いて均一深さに構成されているものについて説明したが、本発明はこれに限らず、図５に示すように、打撃部Ａ４の中心付近が最少深さ寸法ｈ１で最も凹部深さが浅く、この中央部分からバット先端側、及び、中央部分からグリップ側に向うに従って凹部深さ寸法ｈ２，ｈ３が深くなるように形成し、これら深さ寸法ｈ１，ｈ２，ｈ３に対応する厚さ寸法で弾性層３を設けた構成であってもよい。
【００６８】
この場合、最少深さ部分に対応する弾性層３の厚さ寸法が高い打球反発性を形成する最少厚さ寸法に設定することによって、打撃部Ａ４の中心でボールを打撃することで、高い反発力がボールに作用して飛距離の高い打撃状態を形成することができることに加えて、例え、打撃部の中心から前後に外れた部分でボールを打撃しても、高反発性を生じる最少深さ寸法より深い弾性層３で打撃されることになり、打撃部Ａ４の中心が外れた打撃でありながら高い反発力をボールに付与することができるので、打撃性能の向上を図ることができる。
【００６９】
２）  上記実施形態では、打撃部Ａ４の略全長、及び、全周に亘っての広い弾性層３を形成する例を説明したが、本発明はこれに限らず、打撃部Ａ４の略全長、及び、全周に亘って広い弾性層３を形成する構成であってもよい。
また、打撃部Ａ４の略全長、及び、全周に亘ることがなく、打撃部Ａ４の中心を含む特定範囲のみに弾性層３を形成する構成であってもよい。
【００７０】
３）  上記実施形態では、バット本体１がＦＲＰをバット素材とする球技用バットを形成する例を説明したが、本発明はこれに限らず、木材をバット素材とする球技用バットに適用しても、金属をバット素材とする球技用バットに適用しても、打撃部分とグリップ部分とが異なるバット素材からなるバットパーツを一体的に組合せて形成されている球技用バットに適用してもよい。
また、上記実施形態では、軟式野球用のバットである球技用バットに本発明を適用した例を説明したが、これに限らず、ソフトボール用バット、硬式野球用バット、ノック用及び打撃練習用バット等に本発明を適用してもよい。
【００７１】
４）  上記実施形態では、打撃部Ａ４の弾性層３が、キャスチング・ポリウレタンからなるポリウレタン素材を熱硬化によって形成されるものについて説明したが、本発明はこれに限らず、打撃部Ａ４の弾性層３を、ポリウレタン素材を熱可塑によって形成するものであってもよい。
【００７２】
５）  上記実施形態の弾性層３は、透明性を有するキャスチング・ポリウレタンからなるポリウレタン素材から形成されるものについて説明したが、本発明はこれに限らず、透明性を有し、且つ、ゴム硬度が４０度〜９０度のものが作成可能な、シリコーンゴム、オレフィン系（ポリプロピレン、ポリエチレン等）のエラストマー、ハロゲン系（塩化ビニル）のエラストマー、スチレン系（ポリスチレン等）のエラストマー、又は、これらの複合した複合材等であってもよい。
【００７３】
６）  上記実施形態では、打撃部Ａ４における凹部１Ａの底面１Ｂの全面に塗設された下地剤４を介して、弾性層３が凹部１Ａに一体接合された例を説明したが、本発明はこれに限らず、少なくとも凹部の端部に下地剤を介して弾性層が一体接合されたものであってもよい。
【００７４】
７）  上記実施形態において、バット本体１に弾性層３を形成する金型Ｃでは、各分割金型ＣＡに対応してゲートＧが設けられている例を説明したが、図６（イ）、（ロ）に示すように、一方の分割金型ＣＡにゲートＧを設ける金型Ｃを用いても同様の作用効果を生じる。
尚、上記実施形態と同様構成部分には同符号を附してその詳細は省略する。
【００７５】
８）  上記各実施形態の金型Ｃは、ゲートＧを閉じることによって、充填空間Ｓと注入口Ｓ２との連通状態を遮断するとともに、金型Ｃ内に充填空間Ｓを孤立状態にするものについて説明したが、本発明はこれに限らず、例えば、図７に示すように、一対の一方の分割金型ＣＡの上部に開放された注入口Ｓ２が形成され、両分割金型ＣＡが合わされた状態で、前記注入口Ｓ２と充填空間Ｓとが連通する連通路Ｓ２ａが他方の分割金型ＣＡに形成されているとともに、注入口Ｓ２と打撃部Ａ４の凹部１Ａの上端部が連通する設置状態で、バット先端部の下部にバット本体１を下方に移動可能な型内空間８を下部に形成する金型Ｃであってもよい。
【００７６】
この金型Ｃ場合、図７（イ）に示すように、充填空間Ｓに対して、注入路Ｓ２を通して弾性材料３‘を、注入具７を介して注入して、充填空間Ｓの空間下部Ｓ３から注入路Ｓ２に至るまで隙間なく充填した後、充填によって弾性材料３‘に混じった気泡を注入路Ｓ２、連通路Ｓ２ａを経由して、充填空間Ｓから外部に自然流出させる。
【００７７】
そして、図７（ロ）に示すように、金型Ｃに対してバット本体１を下部の型内空間８に向けて押し下げて、充填空間Ｓと注入口Ｓ２及び連通路Ｓ２ａとの連通状態を遮断するとともに、金型Ｃ内に充填空間Ｓを孤立状態にして、充填空間Ｓ内に充填された弾性材料３‘を予備加熱成型させた後、金型Ｃから脱型後、加熱炉等の加熱雰囲気内で弾性材料３‘を硬化させて打撃部に弾性層３が一体形成された球技用バットＡを形成することができる。ここで、金型Ｃ下部の型内空間８内の空気は、バット本体１の押し下げによって、分割金型ＣＡ同士の合わせ目から放出される。
【００７８】
このような形成方法によれば、表面品質が良好な弾性層３を形成することができ、しかも、例えば、図４、図６に示すような金型タイプにおいて、充填空間Ｓに弾性材料３‘を充填する際には注入口Ｓ２を開き、充填を終えると注入口Ｓ２を閉じる構造あることによって、充填空間Ｓの上部空間Ｓ１にゲートＧの閉じ面が対応して、弾性層３表面に僅かな痕跡を残してしまうものに比べて、そのような痕跡を残すことがなく品質の向上を図ることができる。
【００７９】
続いて、この他の金型Ｃとして、例えば、図８に示すように、一対の一方の分割金型ＣＡの上部に開放された注入口Ｓ２が形成され、両分割金型ＣＡが合わされた状態で、前記注入口Ｓ２と充填空間ＳがゲートＧを介して連通する連通路Ｓ２ａが他方の分割金型ＣＡに形成されているとともに、金型上部の注入口と打撃部Ａ４の凹部１Ａの上端部が連通する設置状態で、バット先端部の下部にバット本体１を下方に移動可能な型内空間８を形成するものであってもよい。
【００８０】
このような金型Ｃの場合、図８（イ）に示すように、ゲートＧを開けて、充填空間Ｓに対して注入路Ｓ２を通して弾性材料３‘を、注入具７を介して注入して、充填空間Ｓの空間下部Ｓ３から注入路Ｓ２に至るまで隙間なく充填した後、充填によって弾性材料３‘に混じった気泡を注入路Ｓ２、連通路Ｓ２ａを経由して、充填空間Ｓから外部に自然流出させる。
【００８１】
そして、図８（ロ）に示すように、ゲートＧを閉じて、充填空間Ｓと注入口Ｓ２及び連通路Ｓ２ａとの連通状態を遮断するとともに、金型Ｃに対してバット本体１を下部の型内空間８に向けて押し下げて、金型Ｃ内に充填空間Ｓを孤立状態にして、充填空間Ｓ内に充填された弾性材料３‘を予備加熱成型させた後、金型Ｃから脱型後、加熱炉等の加熱雰囲気内で弾性材料３‘を硬化させて打撃部に弾性層が一体形成された球技用バットＡを形成することができる。
【００８２】
このような形成方法においても、表面品質が良好な弾性層３を形成することができ、しかも、例えば、図４、図６に示すような金型タイプにおいて、充填空間Ｓに弾性材料３‘を充填する際には注入口Ｓ２を開き、充填を終えると注入口Ｓ２を閉じる構造あることによって、充填空間Ｓの上部空間Ｓ１にゲートＧの閉じ面が対応して、弾性層３表面に僅かな痕跡を残してしまうものに比べて、そのような痕跡を残すことがなく品質の向上を図ることができる。
尚、上記実施形態と同様構成部分には同符号を附してその詳細は省略する。
【図面の簡単な説明】
【００８３】
【図１】本発明を適用した球技用バットの構造を示す説明図（イ）はバットの外観を示す説明図（ロ）は打撃部の弾性層を断面にて示す説明図（ハ）はバット全体を断面にて示す説明図
【図２】球技用バットの形成方法を示す説明図（イ）は金型によって打撃部に凹部が形成された粗バット本体を示す説明図（ロ）は打撃部に凹部が形成されたバット本体を示す説明図（ハ）は凹部の底面に文字・装飾ディスプレイを施したバット本体を示す説明図
【図３】金型にバット本体の打撃部を設置した状態を示す簡略縦断面図
【図４】弾性層の形成方法を示す説明図（イ）は金型内の充填空間に弾性材料を充填した状態を示す説明図（ロ）は予備加熱成型している状態を示す説明図
【図５】本発明を適用した球技用バットの要部拡大断面図
【図６】本発明を適用した弾性層の形成方法を示す説明図（イ）は金型内の充填空間に弾性材料を充填した状態を示す説明図（ロ）は予備加熱成型している状態を示す説明図
【図７】本発明を適用した弾性層の形成方法を示す説明図（イ）は金型内の充填空間に弾性材料を充填した状態を示す説明図（ロ）は予備加熱成型している状態を示す説明図
【図８】本発明を適用した弾性層の形成方法を示す説明図（イ）は金型内の充填空間に弾性材料を充填した状態を示す説明図（ロ）は予備加熱成型している状態を示す説明図
【符号の説明】
【００８４】
Ａ            球技用バット
Ａ４          打撃部
１            バット本体
１Ａ          凹部
１Ｂ          底面
１Ｃ          端部
２            文字・装飾ディスプレイ
３            弾性層
３‘          弾性材料
【図１】
2007029559.tif 000003
【図２】
2007029559.tif 000004
【図３】
2007029559.tif 000005
【図４】
2007029559.tif 000006
【図５】
2007029559.tif 000007
【図６】
2007029559.tif 000008
【図７】
2007029559.tif 000009
【図８】
2007029559.tif 000010